(57)【要約】【課題】酸素富化空気の皮膚への効果・効能が即時に実感できる、優れた酸素富化機を提供する。【解決手段】酸素富化空気を発生させる酸素富化手段２と、前記酸素富化空気を吐出する酸素富化空気吐出部４と、前記酸素富化手段２の下流側に配され前記酸素富化空気を前記酸素富化空気吐出部４へ送出する送風手段３と、液体６を収納するタンク５と前記液体６を加熱する加熱手段とを有し、前記液体６を蒸発させる液体蒸発手段と、前記液体蒸発手段からの蒸気および／または前記酸素富化手段２からの酸素富化空気を、外部に吐出する蒸気吐出部７とを備えたもので、使用者は蒸気と酸素富化空気とを同時に皮膚などに吐出でき、酸素富化空気による効果を即時に実感できるようになる。【選択図】図１
2006136514.tif 000002
【特許請求の範囲】
【請求項１】
酸素富化空気を発生させる酸素富化手段と、前記酸素富化空気を吐出する酸素富化空気吐出部と、前記酸素富化手段の下流側に配され前記酸素富化空気を前記酸素富化空気吐出部へ送出する送風手段と、液体を蒸発させる液体蒸発手段と、前記液体蒸発手段からの蒸気および／または前記酸素富化手段からの酸素富化空気を、外部に吐出する蒸気吐出部とを備えた酸素富化機。
【請求項２】
液体蒸発手段は、液体を収納するタンクと、前記タンク内の液体を加熱する加熱手段とを備えた請求項１記載の酸素富化機。
【請求項３】
酸素富化空気吐出部を、タンク内の液体内に臨ませた請求項２記載の酸素富化機。
【請求項４】
蒸気のみ、あるいは酸素富化空気を含んだ蒸気、あるいは酸素富化空気のみを、蒸気吐出部から選択的に吐出させる請求項１〜３のいずれか１項に記載の酸素富化機。
【請求項５】
タンク内の液体の水位を検知する水位センサを備え、前記水位センサから得られる水位に応じて、加熱手段の運転動作を変える請求項２〜４のいずれか１項に記載の酸素富化機。
【請求項６】
タンク内の液体を霧化する霧化手段と、本体の運転モードを設定する操作手段とを備え、前記操作手段の運転モードに応じて、前記霧化手段、加熱手段、酸素富化手段の少なくとも１つを制御する請求項２〜５のいずれか１項に記載の酸素富化機。
【請求項７】
タンク内の液体を冷却する冷却手段を備え、操作手段の運転モードに応じて、前記冷却手段を制御する請求項６に記載の酸素富化機。
【発明の詳細な説明】
【技術分野】
【０００１】
本発明は、酸素富化手段を用いて得られる所謂酸素富化空気を使用者に提供する酸素富化機に関するものである。
【背景技術】
【０００２】
従来の酸素富化機として、空気中の酸素を濃縮して酸素富化空気を発生させる装置本体と、これに接続された酸素富化空気吐出口とを基本構成とし、マイナスイオン発生手段を備えたものがある（例えば、特許文献１参照）。
【特許文献１】特開平１０−２３４８３６号公報
【発明の開示】
【発明が解決しようとする課題】
【０００３】
しかしながら、上記従来の酸素富化機において、酸素富化空気にマイナスイオンを付加したものは、その効果を短時間に使用者が実感することが難しいとの意見があった。酸素富化空気が人体に与える影響の検証が進む中、酸素富化空気を直接皮膚に噴射すると、ストレスや外部からの刺激で衰え老化した皮膚が本来の健康な状態に戻ろうとする作用を助ける効果、効能があることが解かってきた。そしてマイナスイオンでは得られ難い程、皮膚に有効に作用するとの臨床データも揃いつつある。
【０００４】
本発明は、前記従来の課題を解決するもので、酸素富化空気による効果が容易に実感できる酸素富化機を提供することを目的とする。
【課題を解決するための手段】
【０００５】
前記従来の課題を解決するために、本発明の酸素富化機は、酸素富化空気を発生させる酸素富化手段と、前記酸素富化空気を吐出する酸素富化空気吐出部と、前記酸素富化手段の下流側に配され前記酸素富化空気を前記酸素富化空気吐出部へ送出する送風手段と、液体を蒸発させる液体蒸発手段と、前記液体蒸発手段からの蒸気および／または前記酸素富化手段からの酸素富化空気を、外部に吐出する蒸気吐出部とを備えたもので、使用者は蒸気と酸素富化空気とを同時に皮膚などに噴霧できるので、酸素富化空気による効果が容易にしかも即実感できるものである。
【発明の効果】
【０００６】
本発明の酸素富化機は、使用者は蒸気で直接皮膚に刺激を感じると共に酸素富化空気も皮膚に吹き付けることができるため、蒸気と酸素とが相乗的に皮膚に作用させることができ使用感も充分感じながら蒸気と酸素富化空気とでの皮膚のお手入れをすることができる。
【発明を実施するための最良の形態】
【０００７】
第１の発明は、酸素富化空気を発生させる酸素富化手段と、前記酸素富化空気を吐出する酸素富化空気吐出部と、前記酸素富化手段の下流側に配され前記酸素富化空気を前記酸素富化空気吐出部へ送出する送風手段と、液体を蒸発させる液体蒸発手段と、前記液体蒸発手段からの蒸気および／または前記酸素富化手段からの酸素富化空気を、外部に吐出する蒸気吐出部とを備えたもので、使用者は蒸気と酸素富化空気とを同時に皮膚などに噴霧できるので、酸素富化空気による効果が容易にしかも即実感できるものである。
【０００８】
第２の発明は、特に、第１の発明の液体蒸発手段が、液体を収納するタンクと、前記タンク内の液体を加熱する加熱手段とを備える構成としたので、蒸気を温熱蒸気にすることができ、使用感を向上できる。
【０００９】
第３の発明は、特に、第２の発明の酸素富化空気吐出部を、タンク内の液体内に臨ませたもので、タンク内の液体に直接酸素富化空気を吐出させて溶かし込ませて、いわゆる酸素水とし、その酸素水を蒸気にして蒸気吐出部から吐出させることができ、より良い使用感が得られる。
【００１０】
第４の発明は、特に、第１〜３のいずれか一つの発明において、蒸気のみ、あるいは酸素富化空気を含んだ蒸気、あるいは酸素富化空気のみを、選択的に蒸気吐出部から吐出させることができるもので、使用者の好みや状況に応じて使い分けることができる。
【００１１】
第５の発明は、特に、第２〜４のいずれか一つの発明において、タンク内の液体の水位を検知する水位センサを備え、前記水位センサから得られる水位に応じて、加熱手段の運転動作を変えるもので、例えば、水位センサがタンク内の液体量が所定水位以下を検知した時に加熱手段の運転を停止するようにすれば、タンク内の液体量が少ないまま或いは空の状態で加熱手段が加熱しつづけるのを防止でき、無駄な電力消費を防止でき、また安全である。
【００１２】
第６の発明は、特に、第２〜５のいずれか一つの発明において、タンク内の液体を霧化する霧化手段と、本体の運転モードを設定する操作手段とを備え、前記操作手段の運転モードに応じて、前記霧化手段、加熱手段、酸素富化手段の少なくとも１つを制御するもので、使用者の好みや状況に応じて運転モードを設定し、ミストと温熱感を使い分ける事ができる。
【００１３】
第７の発明は、特に、第６の発明において、タンク内の液体を冷却する冷却手段を備え、操作手段の運転モードに応じて、前記冷却手段を制御するもので、霧化手段によるミスト、加熱手段による温熱感に加え、涼感も選択肢に加わり、非常に使用勝手が良いものである。
【００１４】
以下、本発明の実施の形態について、図面を参照しながら説明する。なお、この実施の形態について本発明が限定されるものではない。
【００１５】
（実施の形態１）
図１は、本発明の第１の実施の形態における酸素富化機の概略構成を示すブロック図である。
【００１６】
図１において、酸素富化機本体１の内部に配置されている酸素富化手段２には、有機高分子の平膜より構成され、膜を通過する分子の速度に差が有る（窒素に比べ酸素をよく通す）ことを利用して酸素富化空気を生成する所謂酸素富化膜（図示せず）が使用されている。因みに本実施の形態における酸素富化膜は、酸素濃度が約２１％（窒素は約７９％）の通常空気から酸素濃度が約３０％（窒素約７０％）の酸素富化空気を生成することができる。また酸素富化手段２は通過圧損が大きいため、運転時の吸引圧力の高いポンプからなる送風手段３を使用して、外気を酸素富化手段２を通して吸引することで酸素富化空気を発生するようになっている。送風手段３の排気（酸素富化空気）は、タンク５内の所定水位の液体即ち水６中に開口した酸素富化空気吐出部４から吐出される。
【００１７】
９は、ヒータ等から成る加熱手段、１０はペルチェ素子から成る冷却手段、１１は、超音波振動子及び超音波駆動回路から成り液体を超音波振動させることでミスト状にする霧化手段で、それぞれ制御手段８で運転制御される。１２は水位センサで、タンク５内の水６が所定水位以下になるとその情報を制御手段８に送信するようになっている。１３は温度検知手段で、タンク５内の水６の温度を検知してその情報を制御手段８に送信する。
【００１８】
因みに、タンク５は、水６の貯蔵部分と、蒸気を吐出する蒸気吐出部７を備える部分とに大別され、その間は、細管で接続されていてタンク５内の貯蔵部分の水６は蒸気吐出部７の水が減った分だけ貯蔵部分から細管を経て補給される仕組みになっていて（なお、給水原理については本発明の本来の目的とする動作原理とは直接関係ないため詳細な説明は割愛する）蒸気吐出部７側のタンク５内の水６は、短時間で加熱手段９によって加熱されるか冷却手段１０によって冷却されるか或いは霧化手段１１によってミスト化される。
【００１９】
さらに本酸素富化機は、上記の構成から（１）酸素富化空気と蒸気を発生する蒸気発生運転モード、（２）酸素富化空気と冷たいミストを発生する涼感ミスト運転モード、（３）酸素富化空気のみ発生する酸素富化空気発生運転モードの３種類の運転モードを備えている。
【００２０】
以上のように構成された酸素富化機についてその動作を説明する。
【００２１】
まず（１）の酸素富化空気と蒸気を発生する蒸気発生運転モードについて説明する。使用者が操作部（図示せず）を操作して蒸気発生運転モードに設定すると、それを制御手段８が検知し、制御手段８は、送風手段３と加熱手段９を運転駆動する。送風手段３によって酸素富化手段２で得られた酸素富化空気が、タンク５内の酸素富化空気吐出部４から吐出する。ここでタンク５内の水６が所定以上の量があると、酸素富化空気吐出部４は水６の中に位置することになる。酸素富化空気吐出部４から吐出した酸素富化空気の一部は水６の中に溶け込み酸素水を生成すると共に気泡として水６の水面にも達する。
【００２２】
また加熱手段９は、水６を加熱して蒸気を生成する。前記気泡として水６の水面に達した酸素富化空気と前記酸素成分を多量に含んだ蒸気が、蒸気吐出部７から吐出して使用者に供給される。ところで、タンク５内の水６が徐々に減って所定水位以下になり、その水位低下を水位センサ１２で検知すると制御手段８は、水位センサ１２からの情報に基づいて加熱手段９と送風手段３の運転即ち酸素富化機本体１の運転を停止する。ここで、水位センサ１２は加熱手段９が水６が空の状態で加熱し続けて異常高温になったり無駄な電力を消費したりすることを防ぐ働きをしていることは言うまでもない。
【００２３】
次に（２）の酸素富化空気と冷たいミストを発生する涼感ミスト運転モードについて説明する。使用者が操作部（図示せず）を操作して涼感ミスト運転モードに設定すると、それを制御手段８が検知し、制御手段８は、送風手段３と冷却手段１０を運転駆動する。送風手段３によって酸素富化手段２から酸素富化空気がタンク５内の酸素富化空気吐出部４から吐出する。ここでタンク５内の水６が所定水位以上の量があると、酸素富化空気吐出部４は水６の中に位置するので、酸素富化空気吐出部４から吐出した酸素富化空気の一部は水６の中に溶け込み酸素水を生成すると共に気泡として水６の水面にも達する。
【００２４】
ここで温度検知手段１３からの情報によって、制御手段８がタンク５内の水６の温度が所定の涼感温度になったことを検知すると霧化手段１１の運転駆動を開始してミストを発生させる。気泡として水６の水面に達した酸素富化空気と前記酸素成分を多量に含んだミストとは蒸気吐出部７から吐出して使用者に供給される。ところで、タンク５内の水６が徐々に減って所定水位以下に成ったことを水位センサ１２で検知すると制御手段８は水位センサ１２からの情報に基づいて冷却手段１０、送風手段３、霧化手段１１の運転即ち本体１の運転を停止する。ここで、水位センサ１２は、水６が空の状態或いは低水位で運転し続けて無駄な電力を消費したりすることを防ぐ働きをしていることは言うまでもない。
【００２５】
次に（３）の酸素富化空気のみ発生する酸素富化空気発生運転モードについて説明する。この運転モードは、加熱手段９、冷却手段１０、霧化手段１１は停止したままで送風手段３のみを運転するものであり、酸素富化手段２で得られる酸素富化空気のみを蒸気吐出部７から吐出させて使用者に供給する。
【００２６】
以上のように、酸素富化機に各運転モードを備えることで、使用者が自分好みの運転モードを使用して酸素富化機を運転している様子が容易に推察できよう。
【００２７】
なお、本実施の形態が本発明の範囲を限定するものでは無く、例えば温度検知手段１３で、加熱手段９で加熱された水６の温度を検知するようにし、適度な温度の水６を霧化手段１１で霧（ミスト）を発生させ温熱感のあるものにすることも、使用者によっては使用感が良い場合もあり、制御手段８で負荷手段である加熱手段９、冷却手段１０、霧化手段１１のおのおのを自由に制御運転することで個人の好みに応じた使い方を提案できることは言うまでもない。
【産業上の利用可能性】
【００２８】
以上のように本発明にかかる酸素富化機は、酸素富化空気を蒸気や霧と共に使用者の皮膚に吹き付けることで、使用実感が確実に得られるもので、家庭用や業務用酸素富化機に加え、いわゆる美顔器等エステ用機器にも適用できるものである。
【図面の簡単な説明】
【００２９】
【図１】本発明の実施の形態１における酸素富化機の概略構成を示すブロック図
【符号の説明】
【００３０】
１  酸素富化機本体
２  酸素富化手段
３  送風手段
４  酸素富化空気吐出部
５  タンク
６  水（液体）
７  蒸気吐出部
８  制御手段
９  加熱手段
１０  冷却手段
１１  霧化手段
１２  水位センサ
１３  温度検知手段
【図１】
2006136514.tif 000003